(57)【要約】【課題】Ｇａ−Ａｌ合金融液に窒素含有ガスを供給して種結晶基板上に窒化アルミニウム結晶をエピタキシャル成長させる液相成長法において、良好な結晶性を有する窒化アルミニウム結晶を種結晶基板上に均一に安定して低温で形成することが可能な窒化アルミニウム結晶の製造方法を提供する。【解決手段】Ｇａ−Ａｌ合金融液１５を用いてシード基板１３上に窒化アルミニウム結晶をエピタキシャル成長させる液相成長法において、Ｇａ−Ａｌ合金融液１５に導入する窒素含有ガスの露点温度を−５０℃以下に維持することにより、シード基板１３表面の良好な結晶性を引き継ぎ、かつアルミニウム極性を有する窒化アルミニウム結晶が基板上に均一に安定して低温で得られる。【選択図】図１
2015189651.tif 000002
【特許請求の範囲】
【請求項１】
Ｇａ−Ａｌ合金融液に窒素含有ガスを導入し、該Ｇａ−Ａｌ合金融液中の種結晶基板上に窒化アルミニウム結晶をエピタキシャル成長させる液相成長法による窒化アルミニウム結晶の製造方法において、
露点温度が−５０℃以下の前記窒素含有ガスを前記Ｇａ−Ａｌ合金融液中に導入することを特徴とする窒化アルミニウム結晶の製造方法。
【発明の詳細な説明】
【技術分野】
【０００１】
本発明は、液相成長法により窒化アルミニウムをエピタキシャル成長させる窒化アルミニウム結晶の製造方法に関する。
【背景技術】
【０００２】
紫外発光素子は、蛍光灯の代替、高密度ＤＶＤ、生化学用レーザ、光触媒による公害物質の分解、Ｈｅ−Ｃｄレーザ、水銀灯の代替などの次世代の光源として幅広く注目されている。該紫外発光素子は、ワイドギャップ半導体と呼ばれる窒化アルミニウムガリウム系窒化物半導体からなり、以下の表１に示すようなサファイア、炭化ケイ素（４Ｈ−ＳｉＣ）、窒化ガリウム（ＧａＮ）、窒化アルミニウム（ＡｌＮ）などの異種基板上に積層される。
【０００３】
しかしながら、サファイアを用いる場合には、窒化アルミニウムガリウム（ＡｌＧａＮ）との格子不整合が大きいため、多数の貫通転位が存在してしまい、非発光再結合中心となって内部量子効率を著しく低下させてしまうという問題がある。また、４Ｈ−ＳｉＣおよび窒化ガリウムを用いる場合には、格子整合性が高いという利点があるものの、高価であるためコスト性に問題があるだけでなく、波長３８０ｎｍおよび３６５ｎｍ以下の紫外線を吸収してしまうという問題がある。
【０００４】
これに対して、窒化アルミニウムは、窒化アルミニウムガリウムと格子定数が近く、２００ｎｍの紫外領域まで透明であるため、発光した紫外線を吸収することなく、紫外光を効率よく外部へ取り出すことができる。つまり、窒化アルミニウム単結晶を基板として用いて窒化アルミニウムガリウム系発光素子を準ホモエピタキシャル成長させることにより、結晶の欠陥密度を低く抑えた紫外光発光素子を作製することができる。
【０００５】
【表１】
2015189651.tif 000003
【０００６】
現在、ハイドライド気相成長法（ＨＶＰＥ法）、液相成長法（ＬＰＥ法）、昇華再結晶法などの方法により、窒化アルミニウムのバルク単結晶の作製が試行されている。例えば、特許文献１には、ＩＩＩ族窒化物結晶の液相成長法において、フラックスへの窒素の溶解量を増加させるために圧力を印加し、ナトリウムなどのアルカリ金属をフラックスに添加することが開示されている。また、特許文献２には、アルミニウム融液に窒素原子を含有するガスを注入して、窒化アルミニウム微結晶を製造する方法が提案されている。
【０００７】
しかしながら、特許文献１および特許文献２に記載の技術を用いて窒化アルミニウム結晶を製造する場合には、高い成長温度が必要となり、コストおよび結晶品質に関して満足するものが得られない。
【０００８】
これに対し、本発明者らの一部は、コストおよび結晶品質に関する問題に応えるものとして、液相成長法におけるフラックスとしてＧａ−Ａｌ合金融液を用いることにより、低温での窒化アルミニウムの結晶成長が可能であり、基板表面の結晶性を引き継いだ良好な窒化アルミニウム結晶が得られることを見出した（例えば、特許文献３参照）。
【０００９】
特許文献３には、Ｇａ−Ａｌ合金融液に窒素を含有するガス（以下、「窒素含有ガス」という。）を導入し、該Ｇａ−Ａｌ合金融液中の種結晶基板上に窒化アルミニウム結晶をエピタキシャル成長させるにあたり、種結晶基板として窒化サファイア基板を用いることが開示されている。特許文献３に記載の製法によれば、窒化サファイア基板の表面に形成された窒素極性の窒化アルミニウム膜上に、窒化サファイア基板表面の良好な結晶性を引き継いだ窒化アルミニウム結晶をエピタキシャル成長させることができる。
【００１０】
しかしながら、特許文献３に記載の製法では、窒化アルミニウム結晶の低温成長は可能であるが、得られた窒化アルミニウムの単結晶膜の一部の領域において単結晶膜の成長がなされていないことがあり、単結晶膜が種結晶基板上に均一に得られないという問題がある。
【先行技術文献】
【特許文献】
【００１１】
【特許文献１】特開２００４−２２４６００号公報
【特許文献２】特開平１１−１８９４９８号公報
【特許文献３】国際公開第２０１２／００８５４５号
【発明の概要】
【発明が解決しようとする課題】
【００１２】
そこで、本発明は、Ｇａ−Ａｌ合金融液に窒素含有ガスを供給して種結晶基板上に窒化アルミニウム結晶をエピタキシャル成長させる液相成長法において、良好な結晶性を有する窒化アルミニウム結晶を種結晶基板上に均一に安定して低温で形成することが可能な窒化アルミニウム結晶の製造方法を提供することを目的とする。
【課題を解決するための手段】
【００１３】
本発明者らは、Ｇａ−Ａｌ合金融液を用いて種結晶基板上に窒化アルミニウム結晶をエピタキシャル成長させる液相成長法について鋭意検討を重ねた結果、Ｇａ−Ａｌ合金融液に導入する窒素含有ガス中の水蒸気濃度、すなわち、窒素含有ガスの露点温度の上昇を防ぐことにより、基板表面の良好な結晶性を引き継ぎ、かつアルミニウム極性を有する窒化アルミニウム結晶が種結晶基板上に均一に安定して低温で得られることを見出した。
【００１４】
すなわち、本発明に係る窒化アルミニウム結晶の製造方法は、Ｇａ−Ａｌ合金融液に窒素含有ガスを導入し、該Ｇａ−Ａｌ合金融液中の種結晶基板上に窒化アルミニウム結晶をエピタキシャル成長させる液相成長法による窒化アルミニウム結晶の製造方法において、露点温度が−５０℃以下の前記窒素含有ガスを前記Ｇａ−Ａｌ合金融液中に導入することを特徴としている。
【発明の効果】
【００１５】
本発明によれば、種結晶基板表面の良好な結晶性を引き継ぎ、かつアルミニウム極性を有する窒化アルミニウム結晶を、種結晶基板上に均一に安定して低温成長させることができる。また、本発明によれば、結晶性に優れた窒化アルミニウム結晶を、種結晶基板上に均一に安定して低温で成長させることができるので、有機金属気相成長（MOCVD：Metal Organic Chemical Vapor Deposition）法を用いて、窒化アルミニウム結晶上に、この結晶の結晶性を引き継いだ良質な薄膜を形成することができる。その結果、各種デバイスの製造において、多重量子井戸構造を形成することができる。
【図面の簡単な説明】
【００１６】
【図１】窒化アルミニウム結晶製造装置の構成例を示す図である。
【図２】実施例１におけるエピタキシャル成長後の基板断面を示すＳＥＭ観察写真である。
【発明を実施するための形態】
【００１７】
以下、本発明の実施の形態における窒化アルミニウム結晶の製造方法について、図面を参照しながら詳細に説明する。なお、本発明に係る窒化アルミニウム結晶の製造方法は、以下の実施形態に限定されるものではなく、本発明の要旨を逸脱しない範囲内において種々の変更を加えることは可能である。
【００１８】
窒化アルミニウム結晶の製造方法では、Ｇａ−Ａｌ合金融液に窒素含有ガスを導入し、Ｇａ−Ａｌ合金融液中の種結晶基板上に、液相成長法により窒化アルミニウム結晶を低温でエピタキシャル成長させる。
【００１９】
また、この製造方法では、例えば、図１に示すような窒化アルミニウム結晶製造装置１を用いる。窒化アルミニウム結晶製造装置１は、ガス導入管１０と、ガス供給管１１と、坩堝１２と、坩堝１２内のシード基板１３と、シード基板１３を保持する保持プレート１４と、Ｇａ−Ａｌ合金融液１５を加熱するヒータ１６と、ガス排出管１７と、熱電対１８とを備えている。
【００２０】
ガス導入管１０は、ガス供給管１１から供給された窒素含有ガスを、先端側の供給口１０ａから排出して、Ｇａ−Ａｌ合金融液１５中に窒素含有ガスを導入するものである。ガス導入管１０は、後端部１０ｂと、ガス供給管１１の先端部１１ａとが係合してガス供給管１１と連結されている。また、窒化アルミニウム結晶製造装置１では、ガス導入管１０を上下方向に動かすことで、坩堝１２内のＧａ−Ａｌ合金融液１５中にガス導入管１０の先端を挿入出することができる。すなわち、窒化アルミニウム結晶製造装置１では、Ｇａ−Ａｌ合金融液１５をガス導入管１０から導入される窒素含有ガスでバブリングすることができる。
【００２１】
ガス供給管１１は、先端部１１ａと、ガス導入管１０の後端部１０ｂとが係合してガス導入管１０と連結されている。これにより、窒化アルミニウム結晶製造装置１では、ガス供給管１１の後端側から供給された窒素含有ガスを、先端側から排出して、ガス導入管１０に窒素含有ガスを導入することができる。そして、ガス導入管１０に導入された窒素含有ガスは、Ｇａ−Ａｌ合金融液１５中に供給される。
【００２２】
ガス供給管１１は、ガス導入管１０が上下動して先端がＧａ−Ａｌ合金融液１５中に、自在に挿入できるように可撓性を有していることが好ましい。また、ガス供給管１１は、金属製であることが好ましい。窒化アルミニウム結晶製造装置１では、金属製のガス供給管１１を用いることで、窒素含有ガスの露点温度の上昇を防ぐことができ、ガス供給管１１内を通る窒素含有ガスの露点温度を−５０℃以下に維持することができる。テフロン（登録商標）などの樹脂製のガス供給管１１を用いた場合には、窒化アルミニウム結晶製造装置１では、外部から水蒸気などが流入することで窒素含有ガスの露点温度が上昇し、−５０℃以下に維持することが困難となる。
【００２３】
坩堝１２には、耐高温性の素材が用いられ、該素材として、例えばアルミナ（Ａｌ２Ｏ３）、ジルコニア（ＺｒＯ２）などのセラミックを用いることができる。
【００２４】
シード基板１３には、窒化アルミニウム結晶と格子不整合率が小さい格子整合基板として、窒化アルミニウム薄膜を表面に形成した窒化サファイア基板を用いる。窒化サファイア基板は、例えば、特開２００５−１０４８２９号公報、特開２００６−２１３５８６号公報、特開２００７−３９２９２号公報などに開示されている方法により、窒化アルミニウム薄膜の結晶性が優れた窒化サファイア基板を得ることができる。なお、この方法により得られる窒化アルミニウム薄膜の膜厚は、１０ｎｍ程度である。
【００２５】
保持プレート１４は、上面にシード基板１３が取り付けられ、Ｇａ−Ａｌ合金融液１５中でシード基板１３を保持する。これにより、窒化アルミニウム結晶製造装置１では、シード基板１３がＧａ−Ａｌ合金融液１５中で浮いたり、動いたりせず、所定の位置で維持することができる。
【００２６】
Ｇａ−Ａｌ合金融液１５は、ガリウムとアルミニウムとを含む融液である。具体的には、Ｇａ−Ａｌ合金融液１５中に含まれるガリウムとアルミニウムとのモル比率が９９：１〜１：９９の範囲のものを用いることができる。この中でも、低温成長および結晶性の観点から、ＧａとＡｌとのモル比率が９８：２〜４０：６０の範囲のものが好ましく、９８：２〜５０：５０の範囲のものが更に好ましい。
【００２７】
Ｇａ−Ａｌ合金融液１５中に導入する窒素含有ガスには、Ｎ２ガス、ＮＨ３ガスなどを用いることができる。これらの中でも、安全性の観点からＮ２ガスを用いることが好ましい。一般的な窒素含有ガスの露点温度は、製造会社や製品種別などにより若干の違いはあるものの、−７０℃〜−６０℃程度である。また、窒素分圧は、通常０．０１ＭＰａ以上１ＭＰａ以下である。
【００２８】
したがって、窒化アルミニウム結晶製造装置１では、上述した通りの金属製のガス供給管１１を用いるにより、窒素含有ガスの露点温度の上昇を防ぐことができ、ガス供給管１１内の窒素含有ガスの露点温度を−５０℃以下に維持することができる。これにより、窒化アルミニウム結晶製造装置１では、Ｇａ−Ａｌ合金融液１５中に、露点温度が−５０℃以下の窒素含有ガスを供給することができる。
【００２９】
次に、以上のような構成からなる窒化アルミニウム結晶製造装置１を用いた窒化アルミニウム結晶の製造方法について説明する。
【００３０】
窒化アルミニウム結晶の製造方法では、Ｇａ−Ａｌ合金融液１５中に窒素含有ガスを導入し、Ｇａ−Ａｌ合金融液１５中のシード基板１３上に、液相成長法により窒化アルミニウム結晶を低温でエピタキシャル成長させる。より詳細には、この製造方法では、露点温度が−５０℃以下の窒素含有ガスをＧａ−Ａｌ合金融液１５中に供給する。
【００３１】
具体的には、先ず、図１に示す窒化アルミニウム結晶製造装置１にて、Ｎ２ガス、Ａｒガスなどの雰囲気中でＧａ−Ａｌ合金融液１５を熱電対１６で昇温させ、アルミニウムの融点に達した後、Ｇａ−Ａｌ合金融液１５中に露点温度が−５０℃以下の窒素含有ガスを注入する。
【００３２】
ここで利用される窒素含有ガスは、露点温度が−７０℃〜−６０℃程度の範囲内にあるものである。上述した通り、窒化アルミニウム結晶製造装置１では、金属製のガス供給管１１を用いることで、窒素含有ガスの露点温度の上昇を防ぐことができ、ガス供給管１１内の窒素含有ガスの露点温度を−５０℃以下に維持することができる。したがって、Ｇａ−Ａｌ合金融液１５中には、−５０℃以下の露点温度を維持した窒素含有ガスが供給される。
【００３３】
一方、従来のように、テフロン（登録商標）などの樹脂製のガス供給管１１を用いると、外部から水蒸気などが流入してしまい、露点温度が−７０℃〜−６０℃の窒素含有ガスを使用しても、その露点温度が上昇して−５０℃以下に維持することが困難となる。そして、Ｇａ−Ａｌ合金融液１５中には、−５０℃以上、具体的には−４０℃程度の露点温度の窒素含有ガスが供給される。
【００３４】
次に、坩堝１２内のＧａ−Ａｌ合金融液１５の温度を１０００℃以上１５００℃以下に保ち、シード基板１３を取り付けた保持プレート１４をＧａ−Ａｌ合金融液１５中に浸漬すると、シード基板１３上に、窒化アルミニウム結晶がエピタキシャル成長する。
【００３５】
シード基板１３上に窒化アルミニウム結晶をエピタキシャル成長させるためには、Ｇａ−Ａｌ合金融液１５の温度を１０００℃以上とすることが好ましい。Ｇａ−Ａｌ合金融液１５の温度を１０００℃以上にすると、導入された窒素含有ガス中に含まれる窒素とＧａ−Ａｌ合金融液１５中のガリウムおよびアルミニウムとが、それぞれ化合する。その後、生成された窒化ガリウムおよび窒化アルミニウムの微結晶のうち窒化ガリウム微結晶が解離し、ガリウムと窒素に分解するため、窒化アルミニウム結晶成長の阻害を防ぐことができる。なお、窒化アルミニウム結晶の融点は、２０００℃以上であり、１５００℃以下では安定である。
【００３６】
また、窒化アルミニウム結晶は、１気圧の常圧条件でも成長させることができ、窒素の溶解度が小さい場合には加圧してもよい。
【００３７】
そして、所定時間が経過した後、シード基板１３をＧａ−Ａｌ合金融液１５から取り出して徐冷を行い、良好な窒化アルミニウム結晶が形成されたシード基板１３を得る。
【００３８】
窒化アルミニウム結晶の製造方法では、上述の通り、金属製のガス供給管１１を用いることで、露点温度が−５０℃以下の窒素含有ガスをＧａ−Ａｌ合金融液１５中に導入することができる。これにより、シード基板１３として用いている窒化サファイア基板表面の窒素極性の窒化アルミニウム薄膜を維持することができ、シード基板１３上にアルミニウム極性の窒化アルミニウム結晶を均一に安定してエピタキシャル成長させることができる。
【００３９】
一方、例えば、樹脂製のガス供給管１１を用いることで、露点温度が上昇して−５０℃より高くなった場合には、シード基板１３として用いている窒化サファイア基板表面の窒素極性の窒化アルミニウム薄膜が部分的に消失してしまう。そして、その薄膜が消失した部分では、アルミニウム極性の窒化アルミニウム結晶が成長しないため、シード基板１３上に均一に窒化アルミニウム結晶が形成されなくなる。
【００４０】
以上説明したように、Ｇａ−Ａｌ合金融液を用いてシード基板上に窒化アルミニウム結晶をエピタキシャル成長させる方法において、Ｇａ−Ａｌ合金融液に導入する窒素含有ガスの露点温度を−５０℃以下に維持することにより、シード基板表面の良好な結晶性を引き継ぎ、かつアルミニウム極性を有する窒化アルミニウム結晶を基板上に均一に安定して低温で得ることができる。
【００４１】
また、発光ダイオード（LED：Light Emitting Diode）やレーザダイオード（LD：Laser diode）デバイスなどでは、光を放射する活性層に、量子井戸を複数重ねた多重量子井戸構造が用いられており、この構造は、各種薄膜を積層することにより形成されている。
【００４２】
すなわち、窒化アルミニウム結晶の製造方法では、結晶性に優れた窒化アルミニウム結晶をシード基板上に均一に安定して低温成長させることができるので、有機金属気相成長（MOCVD：Metal Organic Chemical Vapor Deposition）法を用いて、窒化アルミニウム結晶上に、この結晶の結晶性を引き継いだ良質な薄膜を形成することができる。その結果、各種デバイスの製造において、多重量子井戸構造を形成することができる。
【実施例】
【００４３】
以下、実施例を用いて本発明を説明するが、本発明はこれらの実施例に限定されるものではない。
【００４４】
［実施例１］
実施例１では、先ず、ｃ面サファイア基板を窒素分圧０．９ａｔｍ／一酸化炭素分圧０．１ａｔｍ、温度１５００℃で１時間保持した後、窒素分圧１．０ａｔｍで５時間保持し、窒化サファイア基板を得た。
【００４５】
得られた基板上にｃ軸配向した窒化アルミニウム結晶について、チルト成分（結晶試料面に垂直な方向の結晶面の揺らぎ）の結晶性は窒化アルミニウム結晶（００２）面のＸ線回折ロッキングカーブの半値幅で表し、ツィスト成分（結晶試料面内における回転方向の揺らぎ）の結晶性は窒化アルミニウム結晶（１０２）面のロッキングカーブの半値幅で表した。その結果、この窒化サファイア基板表面の窒化アルミニウム薄膜の結晶性は窒化アルミニウム結晶（００２）面チルトの半値幅で５１ａｒｃｓｅｃであり、窒化アルミニウム結晶（１０２）面ツィストは４７０ａｒｃｓｅｃであることが確認できた。
【００４６】
次に、ガリウムとアルミニウムのモル比率が６０：４０のＧａ−Ａｌ合金融液からなるフラックスを窒素ガス中で昇温した。そして、アルミニウムの融点に達した後、フラックス中に露点温度が−６５℃の窒素ガスを圧力０．１ＭＰａ、２０ｃｃ／ｍｉｎの流速でフラックス中に吹き込んだ。坩堝内のフラックスの温度を１３００℃に保ち、常圧で窒化アルミニウム基板をフラックス中に浸漬した。５時間経過した後、窒化アルミニウム基板をフラックス中から取り出して徐冷を行った。
【００４７】
その結果、窒化アルミニウム結晶は窒化アルミニウム基板上に均一に成長し、成長した窒化アルミニウム結晶について、窒化アルミニウム結晶（００２）面チルトのＸ線回折ロッキングカーブの半値幅は６４ａｒｃｓｅｃで、（１０２）面ツィストの半値幅は５１０ａｒｃｓｅｃであることが確認できた。
【００４８】
また、成長した窒化アルミニウム結晶の断面を走査型電子顕微鏡（SEM：Scanning Electron Microscope）で観察した結果、図２に示すように、窒化サファイア基板上の窒化膜の品質を受け継いだ配向性の高い良好な窒化アルミニウム結晶を均一にエピタキシャル成長させることが確認できた。また、窒化アルミニウム結晶の膜厚を測定したところ１．３μｍであった。
【００４９】
さらに、成長した窒化アルミニウム膜について、ＣＢＥＤ（Convergent-beam electron diffraction）法により極性を判定したところ、サファイア基板を窒化したことによって形成された窒化アルミニウム膜は窒素極性であるが、その上にエピタキシャル成長した窒化アルミニウム膜はアルミニウム極性であることが確認できた。
【００５０】
［実施例２］
実施例２では、露点温度が−５２℃の窒素ガスをフラックス中に吹き込んだ以外は実施例１と同様にして、窒化アルミニウム基板上に窒化アルミニウム結晶を生成させた。
【００５１】
その結果、窒化アルミニウム基板上に窒化アルミニウム結晶は均一に成長し、成長した窒化アルミニウム膜について、窒化アルミニウム結晶（００２）面チルトの半値幅は７２ａｒｃｓｅｃで、（１０２）面ツィストの半値幅は５２１ａｒｃｓｅｃであることが確認できた。
【００５２】
また、実施例１と同様にしてＳＥＭで観察した結果、窒化サファイア基板上の窒化膜の品質を受け継いだ配向性の高い良好な窒化アルミニウム結晶をエピタキシャル成長させることが確認できた。また、窒化アルミニウム結晶の膜厚を測定したところ１．０μｍであった。
【００５３】
さらに、実施例１と同様にしてＣＢＥＤ法により極性を判定した結果、サファイア基板を窒化したことによって形成された窒化アルミニウム膜は窒素極性であるが、その上にエピタキシャル成長した窒化アルミニウム膜はアルミニウム極性であることが確認できた。
【００５４】
［比較例１］
比較例１では、露点温度が−４０℃の窒素ガスをフラックス中に吹き込んだ以外は実施例１と同様にして、窒化アルミニウム基板上に窒化アルミニウム結晶を生成させた。
【００５５】
その結果、窒化アルミニウム基板表面の３５％の部分で窒化アルミニウム結晶の成長を確認することができず、露点温度が−４０℃の窒素ガスをフラックス中に吹き込んだ場合には、シード基板上に窒化アルミニウム結晶は均一に成長しないことが確認できた。
【００５６】
［比較例２］
比較例２では、露点温度が−４５℃の窒素ガスをフラックス中に吹き込んだ以外は実施例１と同様にして、窒化アルミニウム基板上に窒化アルミニウム結晶を生成させた。
【００５７】
その結果、窒化アルミニウム基板表面の２０％の部分で窒化アルミニウム結晶の成長を確認することができず、露点温度が−４５℃の窒素ガスをフラックス中に吹き込んだ場合には、シード基板上に窒化アルミニウム結晶は均一に成長しないことが確認できた。
【００５８】
実施例１、実施例２、比較例１および比較例２の結果から、Ｇａ−Ａｌ合金融液を用いて窒化サファイア種結晶基板上に窒化アルミニウム結晶をエピタキシャル成長させる液相成長法において、Ｇａ−Ａｌ合金融液に導入する窒素含有ガスの露点温度を−５０℃以下に維持することにより、窒化サファイア種結晶基板表面の良好な結晶性を引き継ぎ、かつアルミニウム極性を有する窒化アルミニウム結晶が均一に安定して低温で得られることがわかった。
【符号の説明】
【００５９】
１  窒化アルミニウム結晶製造装置、１０  ガス導入管、１０ａ  供給口、１０ｂ  後端部、１１  ガス供給管、１１ａ  先端部、１２  坩堝、１３  シード基板、１４  保持プレート、１５  Ｇａ−Ａｌ溶融液、１６  ヒータ、１７  ガス排出管、１８  熱電対
ガス排出管、１８  熱電対
【図１】
2015189651.tif 000004
【図２】
2015189651.tif 000005